(57)【要約】      （修正有）【課題】装着用便座などの排泄物受け具を使用する場合の使用者の体位の制限を減らすことができる排泄物受け具を提供する。【解決手段】排泄物受け具１００は、排泄物を受ける凹部と、凹部内の排泄物を外部に排出する排出口とを有する第１受け部を備えてよい。排泄物受け具は、第１受け部から立ち上がり、凹部に排尿を導く溝部を有する第２受け部を備えてよい。溝部は、第１受け部から遠ざかる方向に向けて幅が狭くなってよい。溝部は、溝部の底部に向けて幅が広くなってよい。【選択図】図１
2019146745.tif 000002
【特許請求の範囲】
【請求項１】
排泄物を受ける凹部と、前記凹部内の前記排泄物を外部に排出する排出口とを有する第１受け部と、
前記第１受け部から立ち上がり、前記凹部に排尿を導く溝部を有する第２受け部と
を備え、
前記溝部は、前記第１受け部から遠ざかる方向に向けて幅が狭くなる、排泄物受け具。
【請求項２】
前記溝部は、前記溝部の底部に向けて幅が広くなる、請求項１に記載の排泄物受け具。
【請求項３】
排泄物を受ける凹部と、前記凹部内の前記排泄物を外部に排出する排出口とを有する第１受け部と、
前記第１受け部から立ち上がり、前記凹部に排尿を導く溝部を有する第２受け部と
を備え、
前記溝部は、前記溝部の底部に向けて幅が広くなる、排泄物受け具。
【請求項４】
前記第１受け部は、前記排出口側の一端と、前記一端と反対側の他端とを有し、前記他端が先細である、請求項１から３の何れか１つに記載の排泄物受け具。
【請求項５】
前記第１受け部の前記他端は、使用者の臀部に挟まれる、請求項４に記載の排泄物受け具。
【請求項６】
前記第１受け部及び前記第２受け部は、前記凹部の底部及び前記溝部の底部を構成する第１ユニットと、前記凹部の縁部及び前記溝部の縁部を構成する第２ユニットとから構成され、
前記第１ユニットは、前記第２ユニットの第２素材より硬度が高い第１素材で構成される、請求項１から５の何れか１つに記載の排泄物受け具。
【請求項７】
前記第２ユニットは、前記第１ユニットの縁部に着脱可能に嵌る嵌合部を有し、
前記嵌合部は、前記第２素材より硬度が高い第３素材で構成される、請求項６に記載の排泄物受け具。
【請求項８】
前記第１素材は、光透過性材料である、請求項６または７に記載の排泄物受け具。
【請求項９】
前記溝部の底部は、前記第１受け部側の第１段部と、前記第１段部より前記第１受け部から遠く、かつ前記第１段部より深さが浅い第２段部とを有する、請求項６から８の何れか１つに記載の排泄物受け具。
【請求項１０】
前記第２受け部は、前記第１段部から液体を噴射する第１噴射口と、前記第２段部から液体を噴射する第２噴射口とを有する、請求項９に記載の排泄物受け具。
【請求項１１】
前記凹部の周囲の縁部上及び前記溝部の周囲の縁部上に配置される透湿防水フィルムをさらに備える、請求項６から１０の何れか１つに記載の排泄物受け具。
【請求項１２】
前記第１受け部及び前記第２受け部は、第１素材で一体的に構成され、
前記排泄物受け具は、
前記第１素材より硬度が高い第２素材で構成され、前記凹部の内壁の少なくとも一部及び前記溝部の内壁の少なくとも一部を覆う板材をさらに備える、請求項１から６の何れか１つに記載の排泄物受け具。
【請求項１３】
第１素材で構成され、排泄物を受ける凹部と、前記凹部内の前記排泄物を外部に排出する排出口とを有する第１受け部と、
前記第１素材で前記第１受け部と一体的に構成され、前記第１受け部から立ち上がり、前記凹部に排尿を導く溝部を有する第２受け部と、
前記第１素材より硬度が高い第２素材で構成され、前記凹部の内壁の少なくとも一部及び前記溝部の内壁の少なくとも一部を覆う板材と
を備える排泄物受け具。
【請求項１４】
前記第１受け部は、前記凹部内に空気を供給するチューブを有し、
前記チューブは、前記凹部の外側に配置され、前記第１素材より硬度が高い第３素材で構成されている、請求項１２または１３に記載の排泄物受け具。
【請求項１５】
前記第２受け部は、前記溝部の外縁から延在するフランジ部をさらに有する、請求項１２から１４の何れか１つに記載の排泄物受け具。
【請求項１６】
前記フランジ部の表面上に配置される透湿防水フィルムをさらに備える、請求項１５に記載の排泄物受け具。
【請求項１７】
排泄物受け具を使用者の股間に固定するための固定具であって、
前記使用者の腰部に装着される装着部と、
一端が前記装着部の腹部側に固定され、他端が前記排泄物受け具の腹部側に固定される腹部固定ベルトと、
一端が前記装着部の背部側に固定され、他端が前記排泄物受け具の背部側に固定される背部固定ベルトと
を備える固定具。
【請求項１８】
前記腹部固定ベルトは、第１腹部固定ベルトと、第２腹部固定ベルトとを含み、
前記第１腹部固定ベルトの一端、及び前記第２腹部固定ベルトの一端は、前記排泄物受け具の腹部側に固定され、
前記第１腹部固定ベルトの他端は、前記装着部の腹部側の中央より第１側方側に固定され、
前記第２腹部固定ベルトの他端は、前記装着部の腹部側の中央より第２側方側に固定される、請求項１７に記載の固定具。
【請求項１９】
前記背部固定ベルトは、第１背部固定ベルトと、第２背部固定ベルトとを含み、
前記第１背部固定ベルトの一端、及び前記第２背部固定ベルトの一端は、前記排泄物受け具の背部側に固定され、
前記第１背部固定ベルトの他端は、前記装着部の背部側の中央より第１側方側に固定され、
前記第２背部固定ベルトの他端は、前記装着部の背部側の中央より第２側方側に固定される、請求項１７または１８に記載の固定具。
【請求項２０】
前記腹部固定ベルト及び前記背部固定ベルトの少なくとも一方は、長さ調整可能である、請求項１７から１９の何れか１つに記載の固定具。
【請求項２１】
前記腹部固定ベルト及び前記背部固定ベルトの少なくとも一方は、前記装着部側に固定された一端側のベルトと、前記排泄物受け具側に固定された他端側のベルトとを着脱可能に固定するバックルを有する、請求項１７から２０の何れか１つに記載の固定具。
【請求項２２】
前記排泄物受け具は、請求項１から１１の何れか１つに記載の排泄物受け具である、請求項１７から２１の何れか１つに記載の固定具。
【請求項２３】
排泄物受け具を使用者の股間に固定するための固定具であって、
股下部分に前記排泄物受け具が配置されるパンツ部と、
一端が前記パンツ部の腰部分の腹部側に固定され、他端が前記パンツ部の股部の腹部側に固定される腹部固定ベルトと、
一端が前記パンツ部の腰部分の背部側に固定され、他端が前記パンツ部の股部の背部側に固定される背部固定ベルトと
を備える固定具。
【請求項２４】
前記パンツ部は、股下部分の前記排泄物受け具が配置される部分に、前記排泄物受け具のずれを抑制する抑制部を有する、請求項２３に記載の固定具。
【請求項２５】
前記抑制部は、前記排泄物受け具の前記股下部分に対向する面に形成された窪みに対応する凸部材である、請求項２４に記載の固定具。
【請求項２６】
前記腹部固定ベルトは、第１腹部固定ベルトと、第２腹部固定ベルトとを含み、
前記第１腹部固定ベルトの一端、及び前記第２腹部固定ベルトの一端は、前記パンツ部の股部の腹部側に固定され、
前記第１腹部固定ベルトの他端は、前記腰部分の腹部側の中央より第１側方側に固定され、
前記第２腹部固定ベルトの他端は、前記腰部分の腹部側の中央より第２側方側に固定される、請求項２３から２５の何れか１つに記載の固定具。
【請求項２７】
前記背部固定ベルトは、第１背部固定ベルトと、第２背部固定ベルトとを含み、
前記第１背部固定ベルトの一端、及び前記第２背部固定ベルトの一端は、前記パンツ部の股部の背部側に固定され、
前記第１背部固定ベルトの他端は、前記腰部分の背部側の中央より第１側方側に固定され、
前記第２背部固定ベルトの他端は、前記腰部分の背部側の中央より第２側方側に固定される、請求項２３から２６の何れか１つに記載の固定具。
【請求項２８】
前記腹部固定ベルト及び前記背部固定ベルトの少なくとも一方は、長さ調整可能である、請求項２３から２７の何れか１つに記載の固定具。
【請求項２９】
前記腹部固定ベルト及び前記背部固定ベルトの少なくとも一方は、前記腰部分側に固定された一端側のベルトと、前記股部側に固定された他端側のベルトとを着脱可能に固定するバックルを有する、請求項２３から２８の何れか１つに記載の固定具。
【請求項３０】
前記排泄物受け具は、請求項１２から１６の何れか１つに記載の排泄物受け具である、請求項２３から２９の何れか１つに記載の固定具。
【発明の詳細な説明】
【技術分野】
【０００１】
本発明は、排泄物受け具、及び固定具に関する。
【背景技術】
【０００２】
特許文献１には、使用者の股間に対応する部位に排泄物穴を有するおむつに装着される装着用便座が開示されている。
特許文献１  特開２０１７−７０４０７号公報
【発明の概要】
【発明が解決しようとする課題】
【０００３】
上記のような装着用便座などの排泄物受け具を使用する場合の使用者の体位の制限を減らすことが望まれている。
【課題を解決するための手段】
【０００４】
本発明の一態様に係る排泄物受け具は、排泄物を受ける凹部と、凹部内の排泄物を外部に排出する排出口とを有する第１受け部を備えてよい。排泄物受け具は、第１受け部から立ち上がり、凹部に排尿を導く溝部を有する第２受け部を備えてよい。溝部は、第１受け部から遠ざかる方向に向けて幅が狭くなってよい。
【０００５】
溝部は、溝部の底部に向けて幅が広くなってよい。
【０００６】
本発明の一態様に係る排泄物受け具は、排泄物を受ける凹部と、凹部内の排泄物を外部に排出する排出口とを有する第１受け部を備えてよい。排泄物受け具は、第１受け部から立ち上がり、凹部に排尿を導く溝部を有する第２受け部を備えてよい。溝部は、溝部の底部に向けて幅が広くなってよい。
【０００７】
第１受け部は、排出口側の一端と、一端と反対側の他端とを有し、他端が先細である。
【０００８】
第１受け部の他端は、使用者の臀部に挟まれてよい。
【０００９】
第１受け部及び第２受け部は、凹部の底部及び溝部の底部を構成する第１ユニットと、凹部の縁部及び溝部の縁部を構成する第２ユニットとから構成されてよい。第１ユニットは、第２ユニットの第２素材より硬度が高い第１素材で構成されてよい。
【００１０】
第２ユニットは、第１ユニットの縁部に着脱可能に嵌る嵌合部を有してよい。嵌合部は、第２素材より硬度が高い第３素材で構成されてよい。
【００１１】
第１素材は、光透過性材料でよい。
【００１２】
溝部の底部は、第１受け部側の第１段部と、第１段部より第１受け部から遠く、かつ第１段部より深さが浅い第２段部とを有してよい。
【００１３】
第２受け部は、第１段部から液体を噴射する第１噴射口と、第２段部から液体を噴射する第２噴射口とを有してよい。
【００１４】
排泄物受け具は、凹部の周囲の縁部上及び溝部の周囲の縁部上に配置される透湿防水フィルムを備えてよい。
【００１５】
第１受け部及び第２受け部は、第１素材で一体的に構成されてよい。排泄物受け具は、第１素材より硬度が高い第２素材で構成され、凹部の内壁の少なくとも一部及び溝部の内壁の少なくとも一部を覆う板材を備えてよい。
【００１６】
本発明の一態様に係る排泄物受け具は、第１素材で構成され、排泄物を受ける凹部と、凹部内の排泄物を外部に排出する排出口とを有する第１受け部を備えてよい。排泄物受け具は、第１素材で第１受け部と一体的に構成され、第１受け部から立ち上がり、凹部に排尿を導く溝部を有する第２受け部を備えてよい。排泄物受け具は、第１素材より硬度が高い第２素材で構成され、凹部の内壁の少なくとも一部及び溝部の内壁の少なくとも一部を覆う板材を備えてよい。
【００１７】
第１受け部は、凹部内に空気を供給するチューブを有してよい。チューブは、凹部の外側に配置され、第１素材より硬度が高い第３素材で構成されてよい。
【００１８】
第２受け部は、溝部の外縁から延在するフランジ部を有してよい。
【００１９】
排泄物受け具は、フランジ部の表面上に配置される透湿防水フィルムを備えてよい。
【００２０】
本発明の一態様に係る固定具は、排泄物受け具を使用者の股間に固定するための固定具であってよい。固定具は、使用者の腰部に装着される装着部を備えてよい。固定具は、一端が装着部の腹部側に固定され、他端が排泄物受け具の腹部側に固定される腹部固定ベルトを備えてよい。固定具は、一端が装着部の背部側に固定され、他端が排泄物受け具の背部側に固定される背部固定ベルトを備えてよい。
【００２１】
腹部固定ベルトは、第１腹部固定ベルトと、第２腹部固定ベルトとを含んでよい。第１腹部固定ベルトの一端、及び第２腹部固定ベルトの一端は、排泄物受け具の腹部側に固定されてよい。第１腹部固定ベルトの他端は、装着部の腹部側の中央より第１側方側に固定されてよい。第２腹部固定ベルトの他端は、装着部の腹部側の中央より第２側方側に固定されてよい。
【００２２】
背部固定ベルトは、第１背部固定ベルトと、第２背部固定ベルトとを含んでよい。第１背部固定ベルトの一端、及び第２背部固定ベルトの一端は、排泄物受け具の背部側に固定されてよい。第１背部固定ベルトの他端は、装着部の背部側の中央より第１側方側に固定されてよい。第２背部固定ベルトの他端は、装着部の背部側の中央より第２側方側に固定されてよい。
【００２３】
腹部固定ベルト及び背部固定ベルトの少なくとも一方は、長さ調整可能でよい。
【００２４】
腹部固定ベルト及び背部固定ベルトの少なくとも一方は、装着部側に固定された一端側のベルトと、排泄物受け具側に固定された他端側のベルトとを着脱可能に固定するバックルを有してよい。
【００２５】
排泄物受け具は、上記排泄物受け具でよい。
【００２６】
本発明の一態様に係る固定具は、排泄物受け具を使用者の股間に固定するための固定具でよい。固定具は、股下部分に排泄物受け具が配置されるパンツ部を備えてよい。固定具は、一端がパンツ部の腰部分の腹部側に固定され、他端がパンツ部の股部の腹部側に固定される腹部固定ベルトを備えてよい。固定具は、一端がパンツ部の腰部分の背部側に固定され、他端がパンツ部の股部の背部側に固定される背部固定ベルトを備えてよい。
【００２７】
パンツ部は、股下部分の排泄物受け具が配置される部分に、排泄物受け具のずれを抑制する抑制部を有してよい。
【００２８】
抑制部は、排泄物受け具の股下部分に対向する面に形成された窪みに対応する凸部材でよい。
【００２９】
腹部固定ベルトは、第１腹部固定ベルトと、第２腹部固定ベルトとを含んでよい。第１腹部固定ベルトの一端、及び第２腹部固定ベルトの一端は、パンツ部の股部の腹部側に固定されてよい。第１腹部固定ベルトの他端は、腰部分の腹部側の中央より第１側方側に固定されてよい。第２腹部固定ベルトの他端は、腰部分の腹部側の中央より第２側方側に固定されてよい。
【００３０】
背部固定ベルトは、第１背部固定ベルトと、第２背部固定ベルトとを含んでよい。第１背部固定ベルトの一端、及び第２背部固定ベルトの一端は、パンツ部の股部の背部側に固定されてよい。第１背部固定ベルトの他端は、腰部分の背部側の中央より第１側方側に固定されてよい。第２背部固定ベルトの他端は、腰部分の背部側の中央より第２側方側に固定されてよい。
【００３１】
腹部固定ベルト及び背部固定ベルトの少なくとも一方は、長さ調整可能でよい。
【００３２】
腹部固定ベルト及び背部固定ベルトの少なくとも一方は、腰部分側に固定された一端側のベルトと、股部側に固定された他端側のベルトとを着脱可能に固定するバックルを有してよい。
【００３３】
排泄物受け具は、上記排泄物受け具でよい。
【００３４】
なお、上記の発明の概要は、本発明の必要な特徴の全てを列挙したものではない。また、これらの特徴群のサブコンビネーションもまた、発明となりうる。
【図面の簡単な説明】
【００３５】
【図１】自動排泄処理装置に接続された排泄物受け具の使用状態の一例を示す図である。
【図２】第１実施形態に係る排泄物受け具の外観斜視図の一例を示す図である。
【図３】第１実施形態に係る排泄物受け具の正面側から見た外観斜視図の一例を示す図である。
【図４】第１実施形態に係る排泄物受け具の分解斜視図である。
【図５】第１実施形態に係る排泄物受け具の正面側から見た図である。
【図６】図５に示すＡ−Ａ断面図である。
【図７】図５に示すＢ−Ｂ断面図である。
【図８】排泄物受け具の使用状態を使用者の腹部側から模式的に示した図である。
【図９】排泄物受け具の使用状態を使用者の背部側から模式的に示した図である。
【図１０】第１ユニットと第２ユニットとの嵌合部分を模式的に示す図である。
【図１１】固定具を腹部側から見た模式図である。
【図１２】固定具を背部側から見た模式図である。
【図１３】第２実施形態に係る排泄物受け具の外観斜視図の一例を示す図である。
【図１４】第２実施形態に係る排泄物受け具の正面側から見た外観斜視図の一例を示す図である。
【図１５】第２実施形態に係る排泄物受け具の側面側から見た図である。
【図１６】図１５のＡ−Ａ線断面図である。
【図１７】図１５のＢ−Ｂ線断面図である。
【図１８】図１５のＣ−Ｃ線断面図である。
【図１９】第２実施形態の排泄物受け具の側面断面図である。
【図２０】第２実施形態の排泄物受け具を使用者の股間に固定するための固定具を腹部側から見た模式図である。
【図２１】第２実施形態の排泄物受け具を使用者の股間に固定するための固定具を背部側から見た模式図である。
【発明を実施するための形態】
【００３６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００３７】
図１は、自動排泄処理装置２０に接続された排泄物受け具１００の使用状態の一例を示す。使用者１０は、例えば、ベッドなどに寝たきりの非介護者である。排泄物受け具１００は、使用者１０の股間に固定具２００を介して装着される。
【００３８】
自動排泄処理装置２０は、排泄物受け具１００に温水などの液体を供給する配管２２と、排泄物受け具１００から排出された排泄物を自動排泄処理装置２０内に取り込む配管２４とを備える。配管２２及び配管２４は、排泄物受け具１００に着脱可能に接続される。
【００３９】
図２は、第１実施形態に係る排泄物受け具１００の外観斜視図の一例を示す。図３は、第１実施形態に係る排泄物受け具１００の正面側から見た外観斜視図の一例を示す。排泄物受け具１００は、第１受け部１０２、及び第２受け部１１０を備える。第１受け部１０２は、使用者１０から排泄された排泄物を受ける凹部１０４と、凹部１０４内の排泄物を外部に排出する排出口１０６とを有する。第２受け部１１０は、第１受け部１０２から立ち上がり、凹部１０４に排尿を導く溝部１１２を有する。第１受け部１０２が、使用者１０の背部側に配置される。第２受け部１１０の第１受け部１０２から遠い側の端部が、使用者１０の腹部側に配置される。第１受け部１０２の縁部分及び第２受け部１１０の縁部分は、一体的に、使用者１０の股間に合わせて側面側から見てＵ字状に形成されている。第２受け部１１０の第１受け部１０２から遠い側の端部は、使用者１０の陰部を覆うように立ち上がってよい。第２受け部１１０の第１受け部１０２から遠い側の端部の立ち上がりの高さは、使用者１０の性別、使用者１０の陰部の大きさなどによって調整してよい。
【００４０】
排泄物受け具１００には、凹部１０４内に空気を供給する配管１２０、使用者１０の肛門に温水などの液体を供給する配管１３２、及び使用者１０の陰部に温水などの液体を供給する配管１３０が接続される。また、排泄物受け具１００は、排出口１０６の周囲に、排泄物の有無を検出するセンサを備えてよい。凹部１０４の底部１０５の複数の位置に排泄物の有無を検出するセンサが配置されてよい。
【００４１】
第１受け部１０２は、排出口１０６側の一端１０７と、一端１０７と反対側の他端１０８とを有する。他端１０８は、先細でよい。第１受け部１０２は、排出口１０６側の一端１０７から排出口１０６から遠ざかる他端１０８に向かって先細でよい。第１受け部１０２の他端１０８の一方側（右側）の側面と、他方側（左側）の側面とがなす角度は、９０度より小さくてよい。他端１０８の幅は、先端に向けて狭くなってよい。第１受け部１０２の他端１０８は、底部１０５に対して垂直な方向から見て三角形でよい。第１受け部１０２の他端１０８は、底部１０５に対して垂直な方向から見て、先細で、かつ先端が丸みを帯びた形状でよい。第１受け部１０２の他端１０８は、使用者１０の臀部に挟まれてよい。第１受け部１０２の他端１０８は、使用者１０の左右の臀部の間に挟まれてよい。第１受け部１０２の他端１０８が先細になっているので、使用者１０が仰臥位の状態でも、使用者１０の臀部が第１受け部１０２の上に載らず、他端１０８が使用者１０の左右の臀部の間に挟まれた状態になる。したがって、使用者１０の肌への負担を抑制できる。また、使用者１０の臀部の脂肪が壁になり、排泄物受け具１００がずれることを抑制できる。
【００４２】
図４は、第１実施形態に係る排泄物受け具１００の分解斜視図である。排泄物受け具１００は、第１ユニット１１１、及び第２ユニット１０１から構成されてよい。第１ユニット１１１は、凹部１０４の底部１０５及び溝部１１２の底部１１３を構成する。第２ユニット１０１は、凹部１０４の縁部１０３及び溝部１１２の縁部１１４を構成する。第１ユニット１１１は、排泄物受け具１００の排出口１０６側を構成し、第２ユニット１０１は、使用者１０に接触する側を構成してよい。第１ユニット１１１は、排泄物受け具１００の基台として機能し、第２ユニット１０１は、基台に載るカバーとして機能してよい。第１ユニット１１１は、第２ユニット１０１の第２素材より硬度が高い第１素材で構成されてよい。第２素材は、発泡ウレタン、発泡シリコン、発泡ゴムなどの低反発、軽量、かつ軟質な素材でよい。第１素材は、ポリ塩化ビニル、アクリル樹脂などの合成樹脂でよい。第１素材は、光透過性材料でよい。光透過性材料は、可視光域（３５０ｎｍ〜７８０ｎｍ）における光の透過率が概ね５０％を超える性質を有する材料でよい。第１ユニット１１１を透明な素材で構成することで、排泄物受け具１００を使用者１０の股間に装着した状態で、使用者１０の肛門及び陰部の位置を確認できる。したがって、排泄物受け具１００を正しい位置に装着されているか容易に確認できる。
【００４３】
凹部１０４の縁部１０３及び溝部１１２の縁部１１４上には、透湿防水フィルムを配置してよい。透湿防止フィルムは、サージカルテープでよい。凹部１０４の縁部１０３及び溝部１１２の縁部１１４は、使用者１０の肌が直接接触する部分である。したがって、透湿防水フィルムを配置することで、使用者１０の肌への負担を低減できる。
【００４４】
溝部１１２は、図５に示すように、第１受け部１０２から遠ざかる方向に向けて幅が狭くなる。溝部１１２の第１受け部１０２側の幅Ｗ１より、溝部１１２の第１受け部１０２から遠い側の幅Ｗ２が狭い。これにより、使用者１０が側臥位の状態でも、溝部１１２が排出口１０６に向けて下方に傾斜するので、排尿などの液体が溝部１１２の排出口１０６から遠い側に溜まりにくくなる。したがって、溝部１１２の開口部分から、排尿などの液体が漏れにくくなる。
【００４５】
図６は、図５に示すＡ−Ａ断面図である。図６に示すように、溝部１１２は、溝部１１２の底部１１３に向けて幅が広くなる。溝部１１２の開口部側の幅Ｗ４より、溝部１１２の底部１１３側の幅Ｗ３が広い。これにより、使用者１０が側臥位の状態でも、溝部１１２が底部１１３に向けて下方に傾斜するので、溝部１１２の開口部分から排尿などの液体が漏れにくくなる。
【００４６】
図７は、図５に示すＢ−Ｂ断面図である。溝部１１２の底部１１３は、第１受け部１０２側の第１段部１１３１と、第１段部１１３１より第１受け部１０２から遠く、かつ第１段部１１３１より深さが浅い第２段部１１３２とを有する。
【００４７】
第１実施形態において、第１受け部１０２の他端１０８側が、使用者１０の左右の臀部の間に収まるように小さくなっている。すなわち、他端１０８側の凹部１０４の容積が小さい。凹部１０４の容積が小さいと、排出口１０６からの排泄物の排出が追い付かず、凹部１０４から排泄物が漏れ出す可能性がある。そこで、溝部１１２の第１受け部１０２側の深さを深くして、排泄物受け具１００の排泄物を収容する容積を大きくする。言い換えれば、第１受け部１０２の排出口１０６側の一端１０７を、他端１０８と反対側に突出させて、排泄物受け具１００の排泄物を収容する容積を大きくする。
【００４８】
第２受け部１１０は、第１段部１１３１から液体を噴射する噴射口１３３と、第２段部１１３２から液体を噴射する噴射口１３１とを有する。噴射口１３３には、温水などの液体を供給する配管１３２が連結される。噴射口１３１には、温水などの液体を供給する配管１３０が連結される。噴射口１３３は、第１噴射口の一例である。噴射口１３１は、第２噴射口の一例である。
【００４９】
噴射口１３３からは、使用者１０の肛門に向けて扇状１３５に温水などの液体が噴射される。噴射口１３１からは、使用者１０の陰部に向けて扇状１３４に温水などの液体が噴射される。噴射口１３３は、第１受け部１０２の底部などに設けることもできる。しかし、噴射口１３３を第２受け部１１０の底部に設けることで、第１受け部１０２を小型化でき、使用者１０の左右の臀部の間に第１受け部１０２を収めやすくでき、使用者１０の肌への負担を低減できる。
【００５０】
図８は、排泄物受け具１００の使用状態を使用者１０の腹部側から模式的に示した図である。排泄物受け具１００は、脚１３の間（股の間）に配置される。標準的な成人の陰部の幅Ｗａは、３０〜４０ｍｍ程度、陰部から脚１３の付け根までの幅Ｗｂは、１０ｍｍ程度である。したがって、排泄物受け具１００の幅は、５０〜６０ｍｍに収めることが好ましい。なお、第２ユニット１０１の使用者の肌に接触する縁部には、透湿防水フィルム１４０が配置されている。
【００５１】
図９は、排泄物受け具１００の使用状態を使用者１０の背部側から模式的に示した図である。一般的な成人の肛門から尾骨１４までの距離ｈは、５０ｍｍ程度である。ここで、第１受け部１０２の他端１０８が使用者１０の尾骨１４に接触すると、使用者１０の肌への負担が増す。したがって、排泄物受け具１００を使用者１０の股間に装着した状態で、第１受け部１０２の他端１０８が使用者１０の尾骨１４に接触しない程度に、第１受け部１０２の大きさを設計することが好ましい。第１受け部１０２の他端１０８が使用者１０の仙骨に接触しない程度に、第１受け部１０２の大きさを設計してもよい。
【００５２】
図１０は、第１ユニット１１１と第２ユニット１０１との嵌合部分を模式的に示す図である。第２ユニット１０１は、使用者１０の肌への負担を低減すべく、第１ユニット１１１より硬度が低い素材で構成されている。したがって、このまま使用すると、第２ユニット１０１が、使用者１０から受ける圧力により大きく変形し、第１ユニット１１１と第２ユニット１０１との嵌合部分がずれ、隙間が生じたり、第１ユニット１１１と第２ユニット１０１とが外れたりする可能性がある。そこで、第２ユニット１０１は、第１ユニット１１１の縁部１１５に着脱可能に嵌る嵌合部１０９を有してよい。第２ユニット１０１は、第１ユニット１１１の縁部１１５に対向する裏側の縁部分に嵌合部１０９を有してよい。嵌合部１０９は、第２ユニット１０１を構成する第２素材より硬度が高い第３素材で構成されてよい。第３素材は、硬質ウレタン、硬質ゴムなどでよい。このように構成することで、第２ユニット１０１が使用者１０から比較的大きな圧力を受けても、嵌合部１０９の変形が少ないので、第１ユニット１１１と第２ユニット１０１との嵌合部分がずれ、隙間が生じたり、第１ユニット１１１と第２ユニット１０１とが外れたりすることを防止できる。
【００５３】
図１１は、固定具２００を腹部側から見た模式図である。図１２は、固定具２００を背部側から見た模式図である。固定具２００は、排泄物受け具１００を使用者１０の股間に固定する。固定具２００は、使用者１０が装着するパンツ部２０４を有する。パンツ部２０４は、腰部分に、使用者１０の腰部、または胴部に装着される装着部２０２を含む。
【００５４】
装着部２０２は、使用者１０の腰回りでパンツ部２０４を固定するための腰ベルトでよい。固定具２００は、一端が装着部２０２の腹部側に固定され、他端が排泄物受け具１００の腹部側に固定される腹部固定ベルト２１０及び２２０を有する。固定具２００は、さらに、一端が装着部２０２の背部側に固定され、他端が排泄物受け具１００の背部側に固定される背部固定ベルト２３０及び２４０を有する。
【００５５】
腹部固定ベルト２１０は、第１腹部固定ベルトの一例である。腹部固定ベルト２２０は、第２腹部固定ベルトの一例である。腹部固定ベルト２１０の一端、及び腹部固定ベルト２２０の一端は、排泄物受け具１００の腹部側に固定される。腹部固定ベルト２１０の一端、及び腹部固定ベルト２２０の一端は、フックを有し、排泄物受け具１００は、腹部側に引掛け部を有し、フックが引掛け部に引っ掛ることで、腹部固定ベルト２１０の一端、及び腹部固定ベルト２２０の一端が、排泄物受け具１００の腹部側に固定されてよい。
【００５６】
腹部固定ベルト２１０の他端は、装着部２０２の腹部側の中央より第１側方側（使用者１０の腰部の左側）に固定される。腹部固定ベルト２２０の他端は、装着部２０２の腹部側の中央より第２側方側（使用者１０の腰部の右側）に固定される。
【００５７】
背部固定ベルト２３０の一端、及び背部固定ベルト２４０の一端は、排泄物受け具１００の背部側に固定される。背部固定ベルト２３０の一端、及び背部固定ベルト２４０の一端がフックを有し、排泄物受け具１００は、排泄物受け具１００の背部側に引掛け部を有し、フックが引掛け部に引っ掛ることで、背部固定ベルト２３０の一端、及び背部固定ベルト２４０の一端が、排泄物受け具１００の背部側に固定されてよい。背部固定ベルト２３０の他端は、装着部２０２の背部側の中央より第１側方側（使用者１０の腰部の左側）に固定される。背部固定ベルト２４０の他端は、装着部２０２の背部側の中央より第２側方側（使用者１０の腰部の右側）に固定される。
【００５８】
腹部固定ベルト２１０及び２２０、並びに背部固定ベルト２３０及び２４０は、それぞれ長さ調整可能である。腹部固定ベルト２１０及び２２０、並びに背部固定ベルト２３０及び２４０は、それぞれ伸縮性のある素材、例えばゴム素材を含む布素材で構成してよい。腹部固定ベルト２１０及び２２０、または背部固定ベルト２３０及び２４０のみが長さ調整可能でもよい。
【００５９】
腹部固定ベルト２１０及び２２０は、装着部２０２側に固定された一端側のベルト２１１及び２２１と、排泄物受け具１００側に固定された他端側のベルト２１２及び２２２とを着脱可能に固定するバックル２１３及び２２３を有する。背部固定ベルト２３０及び２４０は、装着部２０２側に固定された一端側のベルト２３１及び２４１と、排泄物受け具１００側に固定された他端側のベルト２３２及び２４２とを着脱可能に固定するバックル２３３及び２４３を有する。
【００６０】
バックル２１３、バックル２２３、バックル２３３、及びバックル２４３は、ワンタッチバックルでよい。バックル２１３、バックル２２３、バックル２３３、及びバックル２４３を外した状態では、排泄物受け具１００の使用者１０の股間に対する密着度合いが弱いので、排泄物受け具１００の位置の調整が容易である。また、排泄物受け具１００の位置を調整した後、バックル２１３、２２３、２３３、及び２４３を接続することで、排泄物受け具１００を使用者１０の股間に密着させて固定させることができる。
【００６１】
例えば、使用者１０に排泄物受け具１００を装着させるユーザは、排泄物受け具１００に腹部固定ベルト２１０及び２２０、並びに背部固定ベルト２３０及び２４０を固定する。ユーザは、排泄物受け具１００の腹部側及び背部側の引掛け部に腹部固定ベルト２１０及び２２０、並びに背部固定ベルト２３０及び２４０のそれぞれのフックを引掛ける。ユーザは、排泄物受け具１００を使用者１０の股に間に配置しつつ、固定具２００を使用者１０に履かせる。その後、固定具２００の装着部２０２の大きさを調整する。ユーザは、固定具２００がずれないように、装着部２０２を構成する腰ベルトの長さを調整する。ユーザは、腹部固定ベルト２１０及び２２０、並びに背部固定ベルト２３０及び２４０を緩めた状態で、排泄物受け具１００の位置を調整する。ユーザは、例えば、透明な第１ユニット１１１を介して、排泄物受け具１００と、使用者１０の肛門及び陰部との位置関係を確認しながら、排泄物受け具１００の位置を調整する。次いで、ユーザは、腹部固定ベルト２１０及び２２０、並びに背部固定ベルト２３０及び２４０を締め付け、排泄物受け具１００の位置を固定する。
【００６２】
固定具２００が、バックル２１３、２２３、２３３、及び２４３を有することで、排泄物受け具１００の体系などが変わらなければ、腹部固定ベルト２１０及び２２０、並びに背部固定ベルト２３０及び２４０の長さ調整は一度だけ行えば済む。したがって、排泄物受け具１００の使用者１０の股間への装着が容易になる。また、排泄物受け具１００を使用者１０に装着するユーザ、例えば介護者の違いで、使用者１０の排泄物受け具１００に対する装着感が変わることも防止できる。これにより、介護者の違いで、排泄物受け具１００の使用者１０への装着が正しく行われず、排泄物受け具１００から排泄物が漏れることを防止できる。
【００６３】
図１３は、第２実施形態に係る排泄物受け具１００の外観斜視図の一例を示す。図１４は、第２実施形態に係る排泄物受け具１００の正面側（使用者１０に装着される側）から見た外観斜視図の一例である。図１５は、第２実施形態に係る排泄物受け具１００の側面側から見た図である。
【００６４】
第２実施形態の排泄物受け具１００は、第１受け部１０２及び第２受け部１１０の全体が比較的柔らかな素材で構成されている点で、第１実施形態に係る排泄物受け具１００と異なる。第１受け部１０２、及び第２受け部１１０は、第１素材で一体的に構成されてよい。第１素材は、発泡ウレタン、発泡シリコン、軟質ゴム、スポンジなどでよい。排泄物受け具１００は、使用者１０の股の間に挟まれて使用される。
【００６５】
第１受け部１０２は、使用者１０から排泄された排泄物を受ける凹部１０４と、凹部１０４内の排泄物を外部に排出する排出口１０６とを有する。第２受け部１１０は、第１受け部１０２から立ち上がり、凹部１０４に排尿を導く溝部１１２を有する。第１受け部１０２が、使用者１０の背部側に配置され、第２受け部１１０の第１受け部１０２から遠い端部が、使用者１０の腹部側に配置される。
【００６６】
第２受け部１１０は、溝部１１２の外縁から延在するフランジ部１１６を有してよい。フランジ部１１６は、第２受け部１１０の他の部分と同様な素材で一体的に構成されてよい。フランジ部１１６は、溝部１１２の外縁から外側に向かって傾斜した内側面を有してよい。フランジ部１１６の内側面は、外側に湾曲してよい。排泄物受け具１００が使用者１０の股間に装着される場合に、フランジ部１１６は、全体的に外側に広がり、使用者１０の肌に密着してよい。フランジ部１１６の表面上に、サージカルテープなどの透湿防水フィルムを配置してよい。フランジ部１１６の表面上の使用者１０の肌に接触する可能性がある部分に、透湿防水フィルムを配置してよい。フランジ部１１６の内側面上に、透湿防止フィルムを配置してよい。フランジ部１１６の縁部上に、透湿防止フィルムを配置してよい。フランジ部１１６の外側面上に透湿防止フィルムを配置してよい。これにより、使用者１０の肌への負担を低減できる。
【００６７】
第２受け部１１０は、底部１１３に、使用者１０の陰部に温水などの液体を噴射するための噴射口１３１を有する。第１受け部１０２は、底部１１９に、使用者１０の肛門に温水などの液体を噴射するための噴射口１３３を有する。
【００６８】
第１受け部１０２は、排出口１０６側の一端１０７から排出口１０６から遠ざかる他端１０８に向けて先細になる。第１受け部１０２の他端１０８の一方側（右側）の側面と、他方側（左側）の側面とがなす角度は、９０度より小さくてよい。第１受け部１０２の他端１０８は、使用者１０の臀部に挟まれる。第１受け部１０２の他端１０８は、使用者１０の左右の臀部の間に挟まれてよい。第１受け部１０２の他端１０８が先細になっているので、使用者１０が仰臥位の状態でも、使用者１０の臀部が第１受け部１０２の上に載らず、他端１０８が使用者１０の左右の臀部の間に挟まれた状態になる。したがって、使用者１０の肌への負担を抑制できる。また、使用者１０の臀部の脂肪が壁になり、排泄物受け具１００がずれることを抑制できる。
【００６９】
図１６は、図１５のＡ−Ａ線断面図である。第１受け部１０２は、凹部１０４内に空気を供給するチューブ１６０を有する。チューブ１６０は、凹部１０４の外側に配置され、第１受け部１０２を構成する第１素材より硬度が高い第３素材で構成されてよい。チューブ１６０は、第１素材で覆われていてよい。チューブ１６０は、発泡ウレタン、発泡シリコン、軟質ゴム、スポンジなどの第１素材の中に埋め込まれてよい。チューブ１６０は、凹部１０４の外縁に沿って配置されてよい。第３素材は、硬質ウレタン、硬質ゴム、あるいは、ポリ塩化ビニルまたはアクリル樹脂などの合成樹脂などでよい。チューブ１６０は、第１受け部１０２の排出口１０６と反対側の他端１０８側に空気の噴射口１６２を有し、空気が排出口１０６に向かって噴射される。これにより、凹部１０４の排泄物が排出口１０６に導かれやすくなる。
【００７０】
チューブ１６０が、凹部１０４の外縁に沿って配置されることで、第１受け部１０２の骨格として機能し、使用者１０からの圧力により第１受け部１０２が大きく変形することを防止できる。よって、第１受け部１０２の変形により、排泄物が漏れることを防止できる。
【００７１】
図１７は、図１５のＢ−Ｂ線断面図である。排泄物受け具１００は、第２受け部１１０の溝部１１２の内壁の少なくとも一部を覆う板材１５０をさらに備えてよい。板材１５０は、第１受け部１０２の凹部１０４の内壁の少なくとも一部を覆ってもよい。板材１５０は、凹部１０４の内壁、及び溝部１１２の内壁の形状に沿った形状でよい。板材１５０は、第１受け部１０２及び第２受け部１１０を構成する第１素材より硬度が高い第２素材で構成されてよい。第２素材は、ポリ塩化ビニル、アクリル樹脂などの合成樹脂でよい。
【００７２】
第１受け部１０２の凹部１０４の内壁、及び第２受け部１１０の溝部１１２の内壁が、板材１５０で支持されていることで、第１受け部１０２及び第２受け部１１０が使用者１０の圧力で変形しても、凹部１０４及び溝部１１２の形状を維持できる。したがって、凹部１０４及び溝部１１２内の排泄物が漏れることを防止できる。
【００７３】
さらに、溝部１１２は、溝部１１２の底部１１３に向けて幅が広くなる。溝部１１２の開口部側の幅Ｗ８より、溝部１１２の底部１１３側の幅Ｗ７が広い。これにより、使用者１０が側臥位の状態でも、溝部１１２が底部１１３に向けて下方に傾斜するので、溝部１１２の開口部分から排尿などの液体が漏れにくくなる。
【００７４】
図１８は、図１５のＣ−Ｃ線断面図である。溝部１１２は、第１受け部１０２から遠ざかる方向に向けて幅が狭くなる。溝部１１２の第１受け部１０２側の幅Ｗ５より、溝部１１２の第１受け部１０２から遠い側の幅Ｗ６が狭い。これにより、使用者１０が側臥位の状態でも、溝部１１２が排出口１０６に向けて下方に傾斜するので、排尿などの液体が溝部１１２の排出口１０６から遠い側に溜まりにくくなる。したがって、溝部１１２の開口部分から、排尿などの液体が漏れにくくなる。
【００７５】
図１９は、第２実施形態の排泄物受け具１００の側面断面図である。第２受け部１１０は、温水などの液体を扇状１３４に使用者１０の陰部に向けて噴射する噴射口１３１を、底部１１３に有する。また、第１受け部１０２は、温水などの液体を底部１１９の面に沿った第１方向１３５に沿って排出口１０６に向けて噴射し、かつ底部１１９の面に対して斜めの第２方向１３６に沿って使用者１０の肛門に向けて噴射する噴射口１３３を、底部１１９に有する。
【００７６】
図２０は、第２実施形態の排泄物受け具１００を使用者１０の股間に固定するための固定具２００を腹部側から見た模式図である。図２１は、第２実施形態の排泄物受け具１００を使用者１０の股間に固定するための固定具２００を背部側から見た模式図である。固定具２００は、使用者１０が装着するパンツ部２０４を有する。パンツ部２０４は、腰部分に、使用者１０の腰部に装着され装着部２０２を含む。装着部２０２は、パンツ部２０４の腰部分である。装着部２０２は、使用者１０の腰回り、または胴回りでパンツ部２０４を固定するための腰ベルトでよい。固定具２００は、一端が装着部２０２の腹部側に固定され、他端がパンツ部２０４の股部分の腹部側に固定される腹部固定ベルト２１０及び２２０を有する。固定具２００は、さらに、一端が装着部２０２の背部側に固定され、他端がパンツ部２０４の股部分の背部側に固定される背部固定ベルト２３０及び２４０を有する。
【００７７】
腹部固定ベルト２１０は、第１腹部固定ベルトの一例である。腹部固定ベルト２２０は、第２腹部固定ベルトの一例である。腹部固定ベルト２１０の一端、及び腹部固定ベルト２２０の一端は、パンツ部２０４の股部分の腹部側に固定される。腹部固定ベルト２１０の他端は、装着部２０２の腹部側の中央より第１側方側（使用者１０の腰部の左側）に固定される。腹部固定ベルト２２０の他端は、装着部２０２の腹部側の中央より第２側方側（使用者１０の腰部の右側）に固定される。
【００７８】
背部固定ベルト２３０の一端、及び背部固定ベルト２４０の一端は、パンツ部２０４の股部分の背部側に固定される。背部固定ベルト２３０の他端は、装着部２０２の背部側の中央より第１側方側（使用者１０の腰部の左側）に固定される。背部固定ベルト２４０の他端は、装着部２０２の背部側の中央より第２側方側（使用者１０の腰部の右側）に固定される。
【００７９】
腹部固定ベルト２１０及び２２０、並びに背部固定ベルト２３０及び２４０は、それぞれ長さ調整可能である。腹部固定ベルト２１０及び２２０、または背部固定ベルト２３０及び２４０のみが長さ調整可能でもよい。
【００８０】
腹部固定ベルト２１０及び２２０は、装着部２０２側に固定された一端側のベルト２１１及び２２１と、排泄物受け具１００側に固定された他端側のベルト２１２及び２２２とを着脱可能に固定するバックル２１３及び２２３を有する。背部固定ベルト２３０及び２４０は、装着部２０２側に固定された一端側のベルト２３１及び２４１と、排泄物受け具１００側に固定された他端側のベルト２３２及び２４２とを着脱可能に固定するバックル２３３及び２４３を有する。
【００８１】
バックル２１３、２２３、２３３、及び２４３は、ワンタッチバックルでよい。バックル２１３、２２３、２３３、及び２４３を外した状態では、排泄物受け具１００の使用者１０の股間に対する密着度合いが弱いので、排泄物受け具１００の位置の調整が容易である。また、排泄物受け具１００の位置を調整した後、バックル２１３、２２３、２３３、及び２４３を接続することで、排泄物受け具１００を使用者１０の股間に密着させて固定させることができる。固定具２００が、バックル２１３、２２３、２３３、及び２４３を有することで、排泄物受け具１００の体系などが変わらなければ、腹部固定ベルト２１０及び２２０、並びに背部固定ベルト２３０及び２４０の長さ調整は一度だけ行えば済む。したがって、排泄物受け具１００の使用者１０の股間への装着が容易になる。また、排泄物受け具１００を使用者１０に装着する人、例えば介護者の違いで、使用者１０の排泄物受け具１００に対する装着感が変わることも防止できる。介護者の違いで、排泄物受け具１００の使用者１０への装着が正しく行われず、排泄物受け具１００から排泄物が漏れることを防止できる。
【００８２】
パンツ部２０４は、股下部分の排泄物受け具１００が配置される部分に、排泄物受け具１００のずれを抑制する抑制部２５０を有する。抑制部２５０は、排泄物受け具１００の股下部分に対向する面に形成された窪み１８０に対応する凸部材でよい。排泄物受け具１００は、排泄物受け具１００の溝部１１２の裏側の面に、溝部１１２の長手方向に沿った窪み１８０を有してよい。抑制部２５０は、窪み１８０に合せた棒状部材でよい。抑制部２５０が、排泄物受け具１００の窪み１８０に嵌ることで、排泄物受け具１００がずれることを防止できる。なお、抑制部２５０は、上記構成には限定されない。例えば、抑制部２５０は、面ファスナーで構成してよい。
【００８３】
以上、第１実施形態及び第２実施形態に係る排泄物受け具１００によれば、溝部１１２は、第１受け部１０２から遠ざかる方向に向けて幅が狭くなる。また、溝部１１２は、溝部１１２の底部１１３に向けて幅が広くなる。よって、使用者１０が側臥位の状態でも、排出口１０６に向かって排泄物が流れやすくなり、溝部１１２または凹部１０４から排泄物が漏れにくくできる。すなわち、排泄物受け具１００を使用する場合の使用者１０の体位の制限を減らすことができる。
【００８４】
排泄物受け具１００の使用者１０の肌と接触する部分を、発泡ウレタン、発泡ウレタン、発泡ゴムなどの素材で構成することで、使用者１０の肌との密着性が増し、排泄物受け具１００と使用者１０との股間との間に隙間ができて、排泄物が漏れることを防止できる。
【００８５】
第１受け部１０２の排出口１０６と反対側の他端１０８が、先細になり、使用者１０の左右の臀部の間に挟むことができる。これにより、使用者１０が仰臥位の状態でも、第１受け部１０２が使用者１０の臀部の上に乗らないので、使用者１０の臀部の負担を低減できる。しかも、他端１０８は、使用者１０の尾骨または仙骨に接触しない程度の大きさでよい。これにより、使用者１０の臀部の負担をさらに低減できる。
【００８６】
固定具２００により、排泄物受け具１００を使用者１０の股間に固定できるので、排泄物受け具１００がずれて、排泄物が漏れることを防止できる。
【００８７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８９】
１０  使用者
２０  自動排泄処理装置
２２，２４  配管
１００  排泄物受け具
１０１  第２ユニット
１０２  第１受け部
１０３  縁部
１０４  凹部
１０５  底部
１０６  排出口
１０７  一端
１０８  他端
１０９  嵌合部
１１０  第２受け部
１１１  第１ユニット
１１２  溝部
１１３  底部
１１３１  第１段部
１１３２  第２段部
１１４  縁部
１１５  縁部
１１６  フランジ部
１１９  底部
１４０  透湿防水フィルム
１５０  板材
１６０  チューブ
２００  固定具
２０２  装着部
２０４  パンツ部
２１０，２２０  腹部固定ベルト
２３０，２４０  背部固定ベルト
２１３，２２３，２３３，２４３  バックル
２５０  抑制部
【図１】
2019146745.tif 000003
【図２】
2019146745.tif 000004
【図３】
2019146745.tif 000005
【図４】
2019146745.tif 000006
【図５】
2019146745.tif 000007
【図６】
2019146745.tif 000008
【図７】
2019146745.tif 000009
【図８】
2019146745.tif 000010
【図９】
2019146745.tif 000011
【図１０】
2019146745.tif 000012
【図１１】
2019146745.tif 000013
【図１２】
2019146745.tif 000014
【図１３】
2019146745.tif 000015
【図１４】
2019146745.tif 000016
【図１５】
2019146745.tif 000017
【図１６】
2019146745.tif 000018
【図１７】
2019146745.tif 000019
【図１８】
2019146745.tif 000020
【図１９】
2019146745.tif 000021
【図２０】
2019146745.tif 000022
【図２１】
2019146745.tif 000023